(57)【要約】　　　（修正有）【課題】電子ペンを利用して、複数枚からなる同一種類の帳票を連続して作成した後に、電子ペンによる一度の送信指示によって各帳票単位毎によるデータ分割処理を可能とする。【解決手段】電子ペン用帳票に、電子ペンでチェックするための「新規レコードボックス欄」及び「追加レコードボックス欄」の枠を設け、それらの枠を電子ペンでチェックを入れる。そして、電子ペン内においてストロークデータ化された前記各レコードボックス欄のデータや入力データなどからなるデータ列群を、電子ペンからパーソナルコンピュータなどの端末装置に送信し、それらの端末装置などにインストールされた単位データ分割処理プログラムを起動させて単位データの分割処理を行う。【選択図】　　　図８
2004110563.tif 000002
【特許請求の範囲】
【請求項１】
所定のドットパターンが印刷された電子ペン用帳票から光学的に前記ドットパターンを読み取ることによって当該電子ペン用帳票に記入された内容に対応する利用者記入データを取得し、当該利用者記入データを無線通信により端末装置に送信する電子ペンと、
前記電子ペンから送信された利用者記入データを受信し、ネットワークを介してサーバに送信する前記端末装置と、
前記端末装置から送信された利用者記入データを受信する前記サーバと、を備え、
前記端末装置は、前記利用者記入データを前記電子ペン用帳票１枚毎の単位に分割する分割手段を備えることを特徴とする帳票処理システム。
【請求項２】
所定のドットパターンが印刷された電子ペン用帳票から光学的に前記ドットパターンを読み取ることによって当該電子ペン用帳票に記入された内容に対応する利用者記入データを取得し、当該利用者記入データを無線通信により端末装置に送信する電子ペンと、
前記電子ペンから送信された利用者記入データを受信し、ネットワークを介してサーバに送信する前記端末装置と、
前記端末装置から送信された利用者記入データを受信する前記サーバと、を備え、
前記サーバは、前記利用者記入データを前記電子ペン用帳票１枚毎の単位に分割する分割手段を備えることを特徴とする帳票処理システム。
【請求項３】
前記電子ペン用帳票には、当該電子ペン用帳票への記入開始又は記入終了を示す情報に対応するドットパターンが印刷されたチェック欄を
有し、
前記分割手段は、前記利用者記入データ中に含まれる前記記入開始又は記入終了を示す情報に基づいて前記利用者記入データを分割することを特徴とする請求項１又は２に記載の帳票処理システム。
【請求項４】
コンピュータ上で実行することにより、前記コンピュータを、
記入開始又は記入終了を示す情報に対応するドットパターンが印刷されたチェック欄を有する電子ペン用帳票に対して電子ペンにより入力することにより得られる利用者記入データを取得する取得手段、
前記記入開始又は記入終了を示す情報を検出する手段、
連続的に検出された一対の情報の間に存在するデータを、１枚の電子ペン用帳票に対する利用者記入データとして分割し、出力する分割手段、として機能させることを特徴とする単位データ分割処理プログラム。
【請求項５】
コンピュータ上で実行することにより、前記コンピュータを、
記入開始を示す第１の情報に対応するドットパターンが印刷された第１のチェック欄及び記入終了を示す第２の情報に対応するドットパターンが印刷された第２のチェック欄を有する電子ペン用帳票に対して電子ペンにより入力することにより得られる利用者記入データを取得する取得手段、
前記利用者記入データから、前記第１の情報及び前記第２の情報を検出する手段、
連続的に検出された前記第１の情報及び前記第２の情報の間に存在するデータを、１枚の電子ペン用帳票に対する利用者記入データとして分割し、出力する分割手段、として機能させることを特徴とする単位データ分割処理プログラム。
【請求項６】
インクペンユニット及び光学的にドットパターンを読み取る読み取りユニットを備える電子ペンにより記入される電子ペン用帳票であって、
前記ドットパターン上に設けられ、必要事項が記入される記入欄と、
前記ドットパターン上であって前記記入欄外に設けられ、前記帳票を新規帳票として使用する場合に電子ペンによりチェックマークが記入される第１のチェック欄、又は、前記帳票に続く他の帳票が存在する場合に電子ペンによりチェックマークが記入される第２のチェック欄を有し、
前記第１のチェック欄内のドットパターンは前記電子ペン用帳票への記入開始を示す第１の情報に対応しており、前記第２のチェック欄内のドットパターンは前記電子ペン用帳票への記入終了を示す第２の情報に対応していることを特徴とする電子ペン用帳票。
【請求項７】
インクペンユニット及び光学的にドットパターンを読み取る読み取りユニットを備える電子ペンにより記入される電子ペン用帳票であって、
前記ドットパターン上に設けられ、必要事項が記入される記入欄と、
前記ドットパターン上であって前記記入欄外に設けられ、前記帳票を新規帳票として使用する場合に電子ペンによりチェックマークが記入される第１のチェック欄と、
前記ドットパターン上であって前記記入欄外に設けられ、前記帳票に続く他の帳票が存在する場合に電子ペンによりチェックマークが記入される第２のチェック欄と、を有し、
前記第１のチェック欄内のドットパターンは前記電子ペン用帳票への記入開始を示す第１の情報に対応しており、前記第２のチェック欄内のドットパターンは前記電子ペン用帳票への記入終了を示す第２の情報に対応していることを特徴とする電子ペン用帳票。
【請求項８】
所定のドットパターンが印刷された電子ペン用帳票から光学的に前記ドットパターンを読み取ることによって当該電子ペン用帳票に記入された内容に対応する利用者記入データを取得する手段と、
前記利用者記入データを前記電子ペン用帳票１枚毎の単位に分割する分割手段と、を備えることを特徴とする電子ペン。
【発明の詳細な説明】
【０００１】
【発明の属する技術分野】
本発明は、電子ペンを利用して帳票に記入したデータを取得、分割処理する方法に関する。
【０００２】
【従来の技術】
従来、官公庁や金融機関その他に提出する申込書、申請書などの各種書類（以下、「各種申請書類」と呼ぶ。）には利用者がボールペンなどを利用して必要事項を記入し、記入済みの書類を提出していた。一方、近年では、従来からの紙の帳票の代わりに、帳票を電子化した電子フォームが利用されてきている。電子フォームは、紙の帳票の記入項目などを複数のフィールドとして含む電子データである。申込書などの書類を作成する利用者は、パーソナルコンピュータなどに電子フォームを読み込んで表示装置上に表示し、キーボードやマウスなどの入力装置を操作して電子フォームに必要事項を入力する。入力された事項は電子データとして取得され、ネットワークなどを通じて当該帳票の提出先機関などに送信することができる。
【０００３】
しかし、官公庁や金融機関などに提出する各種書類を作成する場合、パーソナルコンピュータの操作方法に関する知識を十分に有しない利用者や、キーボード入力をあまり得意としない利用者などにとっては、上述の電子フォームを上手に利用することは難しいことが多い。そのような利用者にとっては、むしろ従来から行われているように、紙の帳票に対してペン入力する方法が最も容易である。
【０００４】
このような場合に有効な入力デバイスとして、近年、「電子ペン」、「デジタルペン」などと呼ばれるペン型入力デバイスが登場しており（以下、本明細書では「電子ペン」と呼ぶ。）、その代表的なものとしてスウェーデンのＡｎｏｔｏ社が開発した「アノトペン（Ａｎｏｔｏ　ｐｅｎ）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、Ｂｌｕｅｔｏｏｔｈ対応の通信ユニットを搭載している。利用者が専用紙上にアノトペンで文字などを書くと、ペンの移動に伴って小型カメラが専用紙上のドットパターンを検出し、利用者が書き込んだ文字などの入力データが取得される。この入力データが、Ｂｌｕｅｔｏｏｔｈ対応の通信ユニットによりアノトペンから近くのパーソナルコンピュータや携帯電話などの端末装置に送信される。従って、利用者は、このアノトペンを利用したシステムにより専用紙からなる各種申請書類を作成し、それを１枚作成するごとに端末装置に送信し、官公庁や金融機関などに提出するようにしている。
【０００５】
【発明が解決しようとする課題】
しかし、上述のような電子ペンを利用するにあたっては、各枚同じドットパターンが印刷された同一種類からなる帳票を使用するには、各枚ごと送信指示を与えないと電子ペンはそれぞれ異なる帳票であることを認識することができない。そのため、電子ペンを利用して複数枚の帳票を連続して記入し作成した後に、電子ペンによる１度の送信指示により近くの端末装置に送信すると、各帳票の同じ記入エリアに記入した入力データ同士が混在してしまい、端末装置は、その混在したままの入力データとして処理する事態が生じる。
【０００６】
また、同一種類からなる複数の帳票を使用する場合、各帳票毎の記入エリアのドットパターンを全て異なるものとすることにより、電子ペンは、各帳票毎の記入エリアの入力データをそれぞれ別個の入力データと認識することができるため、複数枚の同一種類の帳票がある場合にも一度の送信指示で端末装置に入力データを送信することができる。
【０００７】
しかし、このような方法によると、使用する帳票の枚数が、何万・何十万・何百万枚もあると、これらに対応する記入エリアのドットパターンを用意することは実質上困難を極める。
【０００８】
本発明は、以上の点に鑑みてなされたものであり、電子ペンを利用して複数枚からなる同一種類の帳票を連続して作成した後に、電子ペンによる一度の送信指示によって各帳票単位毎によるデータ分割処理を可能とする帳票の機能、並びに分割処理システムを提供することを課題とする。
【０００９】
【課題を解決するための手段】
本発明の１つの観点では、帳票処理システムは、所定のドットパターンが印刷された電子ペン用帳票から光学的に前記ドットパターンを読み取ることによって当該電子ペン用帳票に記入された内容に対応する利用者記入データを取得し、当該データを無線通信により端末装置に送信する電子ペンと、前記電子ペンから送信された利用者記入データを受信し、ネットワークを介してサーバに送信する前記端末装置と、前記端末装置から送信されたデータを受信する前記サーバと、を備え、前記端末装置は、前記利用者記入データを前記電子ペン用帳票１枚毎の単位に分割する分割手段を備えることを特徴とする。
【００１０】
上記の帳票処理システムによれば、利用者が電子ペン用帳票に電子ペンを利用して必要事項を記入すると、電子ペンは記入内容を利用者記入データとして取得し、端末装置へ送信する。端末装置は、連続的なデータとして電子ペンから送信される利用者記入データを、電子ペン用帳票１枚毎の単位に分割し、サーバへ送信する。よって、利用者が複数の電子ペン用帳票に対して連続的に必要事項を記入した場合でも、サーバは電子ペン用帳票１枚毎の単位で利用者記入データを取得することができる。
【００１１】
本発明の他の観点では、帳票処理システムは、所定のドットパターンが印刷された電子ペン用帳票から光学的に前記ドットパターンを読み取ることによって当該電子ペン用帳票に記入された内容に対応する利用者記入データを取得し、当該利用者記入データを無線通信により端末装置に送信する電子ペンと、前記電子ペンから送信された利用者記入データを受信し、ネットワークを介してサーバに送信する前記端末装置と、前記端末装置から送信されたデータを受信する前記サーバと、を備え、前記サーバは、前記利用者記入データを前記電子ペン用帳票１枚毎の単位に分割する分割手段を備える。
【００１２】
上記の帳票処理システムによれば、利用者が電子ペン用帳票に電子ペンを利用して必要事項を記入すると、電子ペンは記入内容を利用者記入データとして取得し、端末装置へ送信する。端末装置は、利用者記入データをネットワークを介してサーバへ送信する。サーバは、連続的なデータとして端末装置から送信される利用者記入データを、電子ペン用帳票１枚毎の単位に分割する。よって、利用者が複数の電子ペン用帳票に対して連続的に必要事項を記入した場合でも、サーバは電子ペン用帳票１枚毎の単位で利用者記入データを取得することができる。
【００１３】
上記帳票処理システムの一態様では、前記電子ペン用帳票は、当該電子ペン用帳票への記入開始又は記入終了を示す情報に対応するドットパターンが印刷されたチェック欄を有し、前記分割手段は前記利用者記入データ中に含まれる前記記入開始又は記入終了を示す情報に基づいて前記利用者記入データを分割する。
【００１４】
この態様によれば、電子ペン用帳票には記入開始又は記入終了を示す情報に対応するドットパターンが印刷されたチェック欄を有し、利用者がそのチェック欄をチェックすることにより対応する情報が利用者記入データ中に含められる。分割手段は、利用者記入データ中に含まれる、当該記入開始又は記入終了を示す情報を利用して利用者記入データを１枚の電子ペン用帳票毎の単位に分割することができる。
【００１５】
本発明の他の観点では、単位データ分割処理プログラムは、コンピュータ上で実行することにより、前記コンピュータを、記入開始又は記入終了を示す情報に対応するドットパターンが印刷されたチェック欄を有する電子ペン用帳票に対して電子ペンにより入力することにより得られる利用者記入データを取得する取得手段、前記記入開始又は記入終了を示す情報を検出する手段、連続的に検出された一対の情報の間に存在するデータを、１枚の電子ペン用帳票に対する利用者記入データとして分割し、出力する分割手段として機能させる。
【００１６】
上記の単位データ分割処理プログラムは、電子ペン用帳票に対して利用者が電子ペンを使用して記入して得られる利用者記入データから、記入開始又は記入終了を示す情報を検出し、それらに挟まれるデータを１枚の電子ペン用帳票に対応する利用者記入データとする。
【００１７】
本発明の他の観点では、単位データ分割処理プログラムは、コンピュータ上で実行することにより、前記コンピュータを、記入開始を示す第１の情報に対応するドットパターンが印刷された第１のチェック欄及び記入終了を示す第２の情報に対応するドットパターンが印刷された第２のチェック欄を有する電子ペン用帳票に対して電子ペンにより入力することにより得られる利用者記入データを取得する取得手段、前記利用者記入データから、前記第１の情報及び前記第２の情報を検出する手段、連続的に検出された前記第１の情報及び前記第２の情報の間に存在するデータを、１枚の電子ペン用帳票に対する利用者記入データとして分割し、出力する分割手段として機能させる。
【００１８】
上記の単位データ分割処理プログラムによれば、電子ペン用帳票に対して利用者が電子ペンを使用して記入して得られる利用者記入データから、記入開始を示す第１の情報及び記入終了を示す第２の情報を検出し、それらに挟まれるデータを１枚の電子ペン用帳票に対応する利用者記入データとする。
【００１９】
本発明の他の観点では、インクペンユニット及び光学的にドットパターンを読み取る読み取りユニットを備える電子ペンにより記入される電子ペン用帳票は、前記ドットパターン上に設けられ、必要事項が記入される記入欄と、前記ドットパターン上であって前記記入欄外に設けられ、前記帳票を新規帳票として使用する場合にチェックマークが記入される第１のチェック欄と、前記ドットパターン上であって前記記入欄外に設けられ、前記帳票に続く他の帳票が存在する場合に電子ペンによりチェックマークが記入される第２のチェック欄と、を有し、前記第１のチェック欄内のドットパターンは前記電子ペン用帳票への記入開始を示す情報に対応しており、前記第２のチェック欄内のドットパターンは前記電子ペン用帳票への記入終了を示す情報に対応している。
【００２０】
上記の電子ペン用帳票によれば、利用者は電子ペンを利用して、記入欄内に必要事項を記入する。その際、１枚の電子ペン用帳票への記入開始時に第１のチェック欄にチェックを行い、次に各記入欄内に必要事項を記入し、その電子ペン用帳票への記入終了時に第２のチェック欄にチェックを行う。これにより、電子ペンから得られる利用者記入データは、記入欄へ記入された必要事項のデータが、記入開始に対応する第１の情報と記入終了に対応する第２の情報に挟まれたデータ構造を有することになる。よって、これら第１及び第２の情報を利用して、１枚の電子ペン用帳票単位の利用者記入データを容易に分割し、取得することができる。
【００２１】
本発明の他の観点では、インクペンユニット及び光学的にドットパターンを読み取る読み取りユニットを備える電子ペンにより記入される電子ペン用帳票は、前記ドットパターン上に設けられ、必要事項が記入される記入欄と、前記ドットパターン上であって前記記入欄外に設けられ、前記帳票を新規帳票として使用する場合に電子ペンによりチェックマークが記入される第１のチェック欄、又は、前記帳票に続く他の帳票が存在する場合に電子ペンによりチェックマークが記入される第２のチェック欄を有し、前記第１のチェック欄内のドットパターンは前記電子ペン用帳票への記入開始を示す第１の情報に対応しており、前記第２のチェック欄内のドットパターンは前記電子ペン用帳票への記入終了を示す第２の情報に対応している。
【００２２】
上記の電子ペン用帳票によれば、利用者は電子ペンを利用して、記入欄内に必要事項を記入する。その際、１枚の電子ペン用帳票への記入時に第１又は第２のチェック欄にチェックを行う。これにより、電子ペンから得られる利用者記入データは、記入欄へ記入された必要事項のデータが、記入開始又は記入終了に対応する第１又は第２の情報に挟まれたデータ構造を有することになる。よって、これら第１又は第２の情報を利用して、１枚の電子ペン用帳票単位の利用者記入データを容易に分割し、取得することができる。
【００２３】
本発明の他の観点では、電子ペンは、所定のドットパターンが印刷された電子ペン用帳票から光学的に前記ドットパターンを読み取ることによって当該電子ペン用帳票に記入された内容に対応する利用者記入データを取得する手段と、前記利用者記入データを前記電子ペン用帳票１枚毎の単位に分割する分割手段と、を備える。これによれば、電子ペン用帳票に記入された利用者記入データを、帳票１枚毎の単位に分割することができる。
【００２４】
【発明の実施の形態】
以下、図面を参照して本発明の好適な実施の形態について説明する。本発明は、入力デバイスとして電子ペンを利用することにより、複数枚の帳票を一括してデータ処理することができ、尚且つ各帳票単位毎のデータに分割処理するシステムを可能とするものである。まず始めに、本発明のシステムにおいて入力デバイスとして使用される電子ペンの概要について説明する。
【００２５】
［電子ペン］
図１は電子ペンの使用形態を模式的に示す図であり、図２は電子ペンの構造を示す機能ブロック図である。図１に示すように、電子ペン１０は、ドットパターンがプリントされた専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２６】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２７】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ぺーパー２０上のペン先部１７近傍を照明しつつ、カメラ１６が専用ペーパー２０にプリントされているドットパターンを読み取り、データ化する。つまり、電子ペン１０は専用ペーパー２０上で利用者が電子ペン１０を移動させることにより生じるストロークを画像データ又はベクトルデータとして取得することができる。
【００２８】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００２９】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３０】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３１】
利用者により送信指示がなされるまでは、取得された全てのデータはメモリ１２内に保持される。そして、利用者が送信指示を行うと、Ｂｌｕｅｔｏｏｔｈトランシーバ１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３２】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスのドットパターンには、予め送信指示が対応付けられており、プロセッサ１１は専用ボックスの位置座標を受信すると、Ｂｌｕｅｔｏｏｔｈトランシーバ１３にメモリ１２内のデータを供給し、端末装置２５への送信を行わせる。なお、電子ペン１０はディスプレイやボタンなどを持たないが、データの送信完了を電子ペンの振動により示すことができる。
【００３３】
バッテリー１４は電子ペン１０内の各要素に電源供給するためのものであり、例えば電子ペンのキャップ（図示せず）により電子ペン１０自体の電源のオン／オフを行うことができる。
【００３４】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３５】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。なお、端末装置２５などにおいて、電子ペン１０から送信された座標データやベクトルデータから、文字認識アプリケーションを利用してテキストデータを得ることはもちろん可能である。
【００３６】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名前、住所、ファックス／電話番号、携帯電話番号などを保持することができる。
【００３７】
次に、電子ペン１０により利用者が記述した内容のＸ／Ｙデータを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、赤外線ＬＥＤ１５による照明領域及びカメラ１６の撮影領域（照明領域内に位置する）は、ペン先部１７が専用ペーパー２０に接触する位置とはずれている。
【００３８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申請書などの帳票を作成する際は、専用インキ以外のインキで入力枠や罫線、注意書きなどを印刷する。
【００３９】
ドットパターン３２は、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー２０上の位置座標と対応付けされている。よって、電子ペン１０のカメラ１６が図４（ａ）に示すようなドットパターン３２を撮影すると、プロセッサ１１はカメラ１６から入力されるドットパターンのデータに基づいて図４（ｂ）に示すデータ配列を取得し、それに対応する専用ペーパー２０上の位置座標（即ち、そのドットパターン３２がその専用ペーパー２０上のどの位置にあるのか）をリアルタイムで算出する。なお、ドットパターン３２を認識する最小単位は２ｍｍ×２ｍｍであり、カメラ１６は毎秒１００回程度の撮影を行う。
【００４０】
次に、専用ペーパー２０について説明する。専用ペーパー２０の構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターン３２と図案とは同時に印刷してもよいし、いずれかを先に印刷してもよい。
【００４１】
図案３４の例を図６に示す。図６は、ある申込書３６の例であり、複数の記入欄４１や送信ボックス欄４３が印刷されている。図６には明確に図示されていないが、実際にはドットパターン３２が申込書３６の全面に印刷されており、その上に記入欄４１や送信ボックス欄４３が通常のインキにより印刷されている。利用者は、ドットパターン３２を意識することなく、従来からある申込書と同様に、電子ペン１０を使用して必要事項を申込書３６の各記入欄４１に記入すればよい。
【００４２】
専用ペーパー２０上の領域は大きく２種類の領域に分けることができる。１つは記入エリアであり、電子ペン１０による記述内容をそのまま情報として取り扱うエリアである。図６の例では複数の記入欄４１がこれに該当する。もう１つは機能エレメントであり、対応するエリア内を電子ペン１０でチェックした際に、予めそのエリアに対して定義されているアクション、指示などを実行するようになっている。図６の例における送信ボックス欄４３がこれに該当する。
【００４３】
送信ボックス欄４３は前述したように電子ペン１０内に記憶されているデータを近傍の端末装置２５へ送信するための指示を行う際に使用される。利用者が送信ボックス欄４３内に電子ペン１０でチェックを入れると、電子ペン１０が送信ボックス欄４３内のドットパターン３２を読み取る。当該パターンは送信指示に対応付けられており、電子ペン１０内のプロセッサ１１はＢｌｕｅｔｏｏｔｈトランシーバ１３にメモリ１２内の記憶データの送信命令を発する。
【００４４】
ドットパターン３２の割り当ては、通常、アプリケーション（用紙の種類）毎に行われる。即ち、ある申込書内のドットパターン３２は１枚の用紙の中で重複することはないが、同一の申込書には全て同じドットパターン３２が印刷されている。よって、利用者が電子ペン１０で必要事項を入力すると、その入力事項がその申込書のどの項目に対するものであるかを、申込書上の座標データから特定することができる。
【００４５】
このように、ドットパターン３２を印刷した専用ペーパー２０上に所定の図案を印刷することにより、専用ペーパー２０を利用した各種申請書が作成できる。利用者は電子ペン１０を使用して通常の要領で必要事項を記入すれば、その電子データが自動的に取得される。
【００４６】
上記の例では、ドットパターン３２は専用ペーパー２０上にカーボンを含むインキにより印刷されているが、プリンタ及びカーボンを含むインクを使用してドットパターン３２を通常の紙上にプリントすることも可能である。さらに、専用ペーパー２０上の図案３４も印刷ではなく、プリンタにより形成することも可能である。ドットパターン３２をプリンタにより紙上に形成する場合には、１枚１枚に異なるドットパターン３２を形成することが可能である。よって、形成されたドットパターン３２の違いにより、それらの用紙１枚１枚を識別し、区別することが可能となる。
【００４７】
なお、本明細書においては、「印刷」の語は、通常の印刷のみならず、プリンタによるプリントも含む概念とする。
【００４８】
次に、電子ペン１０により取得したデータの送信処理について説明する。前述のように、電子ペン１０の通信機能はＢｌｕｅｔｏｏｔｈによるものであり、専用ペーパー２０に入力したデータを取り扱うサービスサーバ（特定の申込書であれば、その申込先のサーバということになる）に対して電子ペン１０から直接的にデータを送信することはできない。よって、電子ペン１０により取得したデータは、端末装置２５からサービスサーバへ送信される。
【００４９】
その際の処理を図２を参照して説明する。電子ペン１０が取得したデータは、主として利用者が入力した事項のデータであるが、通常はそのデータの送信先であるサービスサーバ２７がどこであるかの情報は含まれていない。その代わりに、その専用ペーパー２０に関するアプリケーションやサービスを特定する情報が専用ペーパー２０上のドットパターンに含まれており、利用者の入力作業中に専用ペーパー２０からその情報が取得されている。よって、電子ペン１０から入力データを受け取った端末装置２５は、まず、問い合わせサーバ２６に対して、その専用ペーパー２０に対して入力されたデータをどのサービスサーバ２７へ送信すべきかの問い合わせを行う。問い合わせサーバ２６は、専用ペーパー２０毎に、対応するサービスサーバ２７の情報を有しており、端末装置２５からの問い合わせに応じて、当該専用ペーパー２０に関するサービスなどを行うサービスサーバ２７の情報（ＵＲＬなど）を端末装置２５へ回答する。それから、端末装置２５は、電子ペンから取得した入力データをそのサービスサーバ２７へ送信することになる。なお、上記の例では端末装置２５、問い合わせサーバ２６及びサービスサーバ２７が別個に構成されているが、これらの幾つか又は全てを１つの装置として構成することも可能である。
［申込処理システム］
次に、本発明に係る申込処理システム１について説明する。図７に、申込処理システム１の概略構成を示す。図７に示す申込処理システム１は、ユーザが電子ペン１０を利用して申込書に記入したデータを、端末装置２５を介して受付サーバ３で受信し、申込みの受付処理をするものである。尚、本実施例では、前記申込書の態様として、図８に示すように旅行申込書４を使用する場合を一例として説明する。
【００５０】
図７に示すように、申込処理システム１は、端末装置２５と、受付サーバ３と、オペレータ端末装置６とがネットワーク２を通じて接続されて構成される。ネットワーク２は、社内ＬＡＮやインターネットなど、各種のネットワークとすることができる。
【００５１】
まず、本システムによる旅行申込受付方法の概要を述べておく。ユーザは、最初に旅行申込書４の作成にあたってオペレータ端末装置６により、申込予約状況などの情報提供を受ける。そして、ユーザは、その情報提供に基づき、電子ペン１０を使用して旅行申込書４の必要事項を記入する。ユーザが旅行申込書４に記入したデータは、電子ペン１０から端末装置２５へ送信され、端末装置２５によって所定のデータ処理が行われた後に受付サーバ３へと送信される。さらに、受付サーバ３が受信した加工処理後のデータは、データベース８に登録されると共に、オペレータ端末装置６へ受付確認の返信をすることによって、受付処理が終了する。
【００５２】
次に各要素について個別に説明する。まず、端末装置２５について説明する。
【００５３】
端末装置２５は、好適には旅行会社の営業窓口など旅行申込み受付け場所に設置され、ユーザからの旅行申込書４の受付けを行う。また、端末装置２５は、図７に示すように、電子ペン１０から送信されるデータを受信する機能を有すると共に、そのデータの処理を行うためのアプリケーションソフトウェア（以下、「単位データ分割プログラム５」と呼ぶ。）がインストールされている。そして、端末装置２５は、ユーザが電子ペン１０を用いて複数の旅行申込書４に連続して記入を行うと、そのデータを１枚の旅行申込書毎の単位データに分割する。さらに、端末装置２５は、その分割された複数の単位データをネットワーク２を通じて受付サーバ３へ送信する。
【００５４】
次に、受付サーバ３について説明する。
【００５５】
受付サーバ３は、好適には旅行会社の情報管理部門などに設置され、端末装置２５から送信される単位データを受信し、受付処理を行う。受付サーバ３による受付処理としては、受付サーバ３が、オペレータ端末装置６に受付確認を返信すると共に、その単位データをデータベース８に登録する処理を行う。そして、受付サーバ３は、オペレータ端末装置６から申込予約状況などのデータ照会があると、要求のあったデータをデータベース８にアクセスして読出し、オペレータ端末装置６に回答する機能を有する。
【００５６】
次に、オペレータ端末装置６について説明する。
【００５７】
オペレータ端末装置６は、好適には前記した端末装置２５と同じ構内に設置される。そして、オペレータ端末装置６は、ユーザに対して旅行申込みする際の申込予約状況などの必要な情報を提供したり、旅行申込みの受付けがされた場合に、受付サーバ３から返信された受付確認に基づいて旅行チケットの発行を行う。具体的には、オペレータが、オペレータ端末装置６を操作して、受付サーバ３に接続されたデータベース８にアクセスし、そこに登録されている申込予約状況などの必要なデータを画面上に表示させたり、プリンタで印刷するなどして、データ照会や旅行チケットの発行ができるようになっている。
［申込書の機能］
次に、上記申込処理システム１において使用する申込書の機能について説明する。図８は、本発明で使用する旅行申込書４の一例を示したものである。
【００５８】
旅行申込書４は、例えば、申込者の氏名・住所及び行先など複数の文字や記入欄などの図案が印刷された紙媒体である。ここで、本発明では、旅行申込書４は上述した専用ペーパ２０として作成されている。即ち、図５に例示するように、台紙３０上に所定のドットパターン３２が印刷されており、その上に申込者の氏名・住所及び行先など複数の文字や記入欄などの図案３４が印刷されている。
先に述べたように、ドットパターン３２は電子ペン１０が認識できるように、カーボンを含んだインキにより印刷されている。一方、申込者の氏名・住所及び行先など複数の文字や記入欄などからなる図案３４は、通常の（カーボンを含まない）インキにより印刷されているため、電子ペン１０がそれを認識することはない。
【００５９】
また、旅行申込書４は、図８に示すように、新規の旅行申込書４であることをチェックするための新規レコードボックス欄４０と、申込者の氏名・住所、行先、日程及び列車名などユーザが記入するための複数の記入欄４１と、団体申込客による申込みなど複数の旅行申込書４を続けて使用する場合にチェックするための追加レコードボックス欄４２と、旅行申込書４の記入が終了した段階で、その旅行申込書４に記載された内容を旅行会社の端末装置２５に送信するためにチェックする送信ボックス欄４３とから構成される。
【００６０】
新規レコードボックス欄４０は、ユーザが旅行申込書４の記入欄４１に記入する前段階として、まず最初に電子ペン１０によりチェックするための枠である。ユーザが電子ペン１０を用いて新規レコードボックス欄４０の枠にチェックを入れると、電子ペン１０は、新規レコードボックス欄４０の枠内のドットパターンを読み取る。そして、電子ペン１０内のプロセッサ１１が、当該新規レコードボックス欄４０の枠内にチェックされたＸ／Ｙ座標のストロークデータを取得し、電子ペン１０内のメモリ１２に新規レコードコードとして記憶するようになっている。
【００６１】
記入欄４１は、ユーザが、申込者の氏名・住所、行先、日程及び列車名など複数に亘る記入項目にしたがって電子ペン１０で記入するための枠である。記入欄４１の枠内は、図示するように予め各記入項目ごとに異なるドットパターン４１ａ、４１ｂ、４１ｃ、４１ｄ及び４１ｅが印刷されている。尚、図示するドットパターン４１ａ、４１ｂ、４１ｃ、４１ｄ及び４１ｅは、実際に旅行申込書４に形成されるドットパターン４１ａ、４１ｂ、４１ｃ、４１ｄ及び４１ｅとは異なるが、本実施例においては、説明の便宜上斜線など異なる種類のドットパターン４１ａ、４１ｂ、４１ｃ、４１ｄ及び４１ｅとして示している。また、旅行申込書４の帳票が同一であれば、複数の旅行申込書４における各記入項目に対応した記入欄４１の枠内のドットパターン４１ａ、４１ｂ、４１ｃ、４１ｄ及び４１ｅは、いずれも同一のドットパターン４１ａ、４１ｂ、４１ｃ、４１ｄ及び４１ｅで印刷されている。すなわち、図８に示すように１枚目の旅行申込書４の各記入項目に対応した記入欄４１の枠内のドットパターン４１ａ、４１ｂ、４１ｃ、４１ｄ及び４１ｅは、複数枚目にあたるＮ枚目の旅行申込書４の各記入項目に対応した記入欄４１の枠内のドットパターン４１ａ、４１ｂ、４１ｃ、４１ｄ及び４１ｅとそれぞれ同一のドットパターンとなっている。ユーザが、電子ペン１０を用いて記入欄４１の枠内に必要事項を記入すると、電子ペン１０が記入欄４１の枠内のドットパターン４１ａ、４１ｂ、４１ｃ、４１ｄ及び４１ｅを読み取る。そして、電子ペン１０内のプロセッサ１１が、当該記入欄４１の枠内に記入されたＸ／Ｙ座標のストロークデータを取得し、電子ペン１０内のメモリ１２に入力データとして記憶するようになっている。
【００６２】
追加レコードボックス欄４２は、ユーザが１枚の旅行申込書４の記入欄４１を全て記入した後、更に追加の旅行申込書４が必要な場合に電子ペン１０によりチェックするための枠である。ユーザが追加レコードボックス欄４２の枠内に電子ペン１０でチェックを入れると、電子ペン１０が追加レコードボックス欄４２の枠内のドットパターンを読み取る。そして、電子ペン１０内のプロセッサ１１が、当該追加レコードボックス欄４２の枠内にチェックされたＸ／Ｙ座標のストロークデータを取得し、電子ペン１０内のメモリ１２に追加レコードコードとして記憶するようになっている。
【００６３】
送信ボックス欄４３は、ユーザが複数の旅行申込書４を記入した後で、それらのデータを端末装置２５に送信するために、電子ペン１０を用いてチェックするための枠である。ユーザが、送信ボックス欄４３の枠内に電子ペン１０でチェックを入れると、電子ペン１０が送信ボックス欄４３の枠内のドットパターンを読み取る。そして、電子ペン１０内のプロセッサ１１が、当該送信ボックス欄４３の枠内にチェックされたＸ／Ｙ座標のストロークデータを取得し、電子ペン１０内のメモリ１２に送信コマンドコードとして記憶すると共に、その時点で電子ペン１０内のメモリ１２に記憶している全データを端末装置２５へ送信するようになっている。
【００６４】
尚、ユーザが使用する旅行申込書４が１枚で足りるときは、前述した追加レコードボックス欄４２の枠内にチェックを入れる必要はなく、そのまま送信ボックス欄４３の枠内にチェックを入れればよい。一方、ユーザが旅行申込書４を複数枚使用する場合には、それら全ての旅行申込書４を記入し終えた後に、複数枚の旅行申込書４のうち、いずれか１枚の旅行申込書４（通常は最後に記入した旅行申込書４）の送信ボックス欄４３の枠内にチェックを入れればよい。
［電子ペン内に記憶されたデータ構造］
次に、上記旅行申込書４の各ストロークデータが電子ペン１０内に取り込まれた状態におけるデータ構造について説明する。図９（ａ）は、電子ペン１０内のメモリ１２に記憶された状態のデータ構造を概略的に表したものである。
【００６５】
図９（ａ）に示すように、電子ペン１０内のメモリ１２に記憶されているデータ構造は、時系列的に整列した複数の単位データ５１と、１つの送信コマンドコード５２から構成される（以下、「データ列群５３」と呼ぶ）。
【００６６】
単位データ５１は、１枚の旅行申込書４に対応する各ストロークデータを時系列的に整列した構造をしており、新規レコードコード５１ａと、複数の連続する入力データ５１ｂと、追加レコードコード５１ｃとから構成される。
【００６７】
送信コマンドコード５２は、時系列的に整列した複数の単位データ５１の最後尾に有するデータで、データ列群５３の終端であることを示している。
【００６８】
そして、新規レコードコード５１ａ、入力データ５１ｂ、追加レコードコード５１ｃ及び送信コマンドコード５２の実際のデータは、前述したように旅行申込書４作成時に電子ペン１０から取得されたＸ／Ｙ座標のストロークデータとなっている。
［単位データ分割プログラム］
次に、電子ペン１０内に記憶されたデータ列群５３を受信した端末装置２５が、それを各旅行申込書４に対応した単位データ５１に分割する方法について説明する。
【００６９】
まず、図１０に、単位データ分割プログラム５のフローチャートを概略的に示す。図１０に示すように、単位データ分割処理をするには、端末装置２５にインストールされている単位データ分割プログラム５を起動させる（ステップＳ１）。そして、電子ペン１０内のメモリ１２に記憶されているデータ列群５３を電子ペン１０に搭載されたＢｌｕｅｔｏｏｔｈトランシーバ１３を介して受信し、そのデータ列群５３を取得する（ステップＳ２）。このデータ列群５３は、前述のように、図９（ａ）に示すデータ構造を有している。
【００７０】
次に、端末装置２５は、ユーザにより各旅行申込書毎にチェックされストロークデータ化された新規レコードコード５１ａを検出し（ステップＳ３）、その次に当該新規レコードコード５１ａに対応する追加レコードコード５１ｃを検出する（ステップＳ４）。図９（ａ）からわかるように一対の前記新規レコードコード５１ａと前記追加レコードコード５１ｃとの間には、複数の入力データ５１ｂが存在するので、端末装置２５は、データ列群５３から複数の単位データ５１を分割する（ステップＳ５）。この単位データ５１は、１枚の旅行申込書４に対する入力データ５１ｂとなっている。
【００７１】
そして、端末装置２５は、データ列群５３の終端を示す送信コマンドコード５２を検出するまでステップＳ３〜Ｓ５までの処理を繰り返し（ステップＳ６：ＮＯ）、送信コマンドコード５２が検出された時点で（ステップＳ６：ＹＥＳ）、単位データ分割処理を終了する。こうして、単位データ分割処理により、端末装置２５が電子ペン１０より当初取得したデータ列群５３は、図９（ｂ）に示すように単位データ１、単位データ２、．．．、単位データＮというように、各旅行申込書単位毎に対応した複数の単位データ５１に分割される。その後、単位データ５１は、受付サーバ３へ送信され、旅行の受付処理に使用される。
【００７２】
尚、上記実施例においては、データ列群５３から複数の単位データ５１を分割するために、新規レコードコード５１ａ及びそれに対応する追加レコードコード５１ｃを検出するようにしているが、これに限らず、新規レコードコード５１ａ、あるいはそれに対応する追加レコードコード５１ｃのいずれか一方を検出することにより、データ列群５３から複数の単位データ５１を分割するような単位データ分割処理プログラム５であってもよい。
【００７３】
即ち、旅行申込書４上には、図８に示した新規レコードボックス欄４０又は追加レコードボックス欄４２のいずれか一方のみが設けられる。旅行申込書４に新規レコードボックス欄４０のみが設けられている場合は、利用者は旅行申込書４への記入開始時に電子ペン１０で新規レコードボックス欄４０にチェックを行い、記入欄４１の枠内に必要事項を記入する。そして、２枚目以降の旅行申込書４に連続記入を行う場合は、２枚目の旅行申込書４の新規レコードボックス欄４０にまず電子ペン１０でチェックを行い、続いて記入欄４１の枠内に必要事項を記入する。こうして電子ペン１０から得られたデータ列群５３は、新規レコードボックス欄４１に対応する新規レコードコード５１ａにより、１枚の旅行申込書４に対する入力データ５１ｂが区切られたデータ構造を有する。よって、単位データ分割プログラム５は、新規レコードコード５１ａを検出し、連続する新規レコードコード５１ａに挟まれる入力データ５１ｂを１枚の旅行申込書４に対する単位データ５１として分割することができる。
【００７４】
一方、旅行申込書４に追加レコードボックス欄４２のみが設けられている場合は、利用者は電子ペン１０で１枚の旅行申込書４の記入欄４１の枠内に必要事項を記入した後に追加レコードボックス欄４２にチェックを行い、次の旅行申込書４の記入欄４１の枠内に必要事項の記入を行う。こうして電子ペン１０から得られたデータ列群５３は、追加レコードボックス欄４２に対応する追加レコードコード５１ｃにより、１枚の旅行申込書４に対する入力データ５１ｂが区切られたデータ構造を有する。よって、単位データ分割プログラム５は、追加レコードコード５１ｃを検出し、連続する追加レコードコード５１ｃに挟まれる入力データ５１ｂを１枚の旅行申込書４に対する単位データ５１として分割することができる。
［変形例］
上記の実施形態においては、単位データ分割プログラム５を端末装置２５にインストールすることによって、電子ペン１０内のメモリ１２に記憶されているデータ列群５３を複数の単位データ５１に分割する場合について説明したが、これに限らず、単位データ分割プログラム５が果たす機能を電子ペン１０のアプリケーション機能により実現するような構成であってもよい。
【００７５】
これにより端末装置２５は、電子ペン１０からデータ列群５３を受信する度に端末装置２５で処理をしていた単位データ５１の分割処理をする必要がなくなり、直接電子ペン１０から各旅行申込書単位毎に対応した単位データ５１として受信することが可能となる。従って、端末装置２５は、その単位データ５１を直接受付サーバ３にそのまま送信することができるので、人が介在し行っていた単位データ５１の分割処理作業を省くことができる。
【００７６】
また、変形例のように単位データ分割プログラム５が果たす機能を電子ペン１０において実現する実施形態の他に、当該単位データ分割プログラム５を受付サーバ３にインストールし、受付サーバ３が、単位データ５１を分割処理するような構成であってもよい。
【００７７】
これにより電子ペン１０は、各旅行申込書４から取得したデータ列群５３を直接端末装置２５に送信することで、電子ペン１０のスループット向上が図れる。また、端末装置２５においても電子ペン１０から受信したデータ列群５３をそのまま受付サーバ３に送信することで、各地に点在する複数の端末装置２５に各々単位データ分割プログラム５をインストールする作業が省け、さらには当該単位データ分割プログラム５を各端末装置２５の数量分用意する必要がなくなるので、大幅なコスト削減をも図ることができる。
【００７８】
また、図８に示すように、旅行申込書４上に取り消しボックス欄４４を設けることもできる。取り消しボックス欄４４はそれまでに入力された事項の取り消し指示に対応する。よって、利用者が取り消しボックス欄４４にチェックを行った場合には、電子ペン１０から得られるデータのうち、新規レコードボックス４０に対応する新規レコードコードと取り消しボックス欄４４に対応するコードとの間に挟まれた記入データを無視するように処理すればよい。
【００７９】
【発明の効果】
以上説明したように、本発明によれば、各帳票単位毎のデータとして扱うことにより、電子ペンから端末装置などに複数枚有する帳票のデータを一度にまとめて送信しても、各帳票に記入されたデータ同士を混在することなく扱えるので、端末装置などにおいて容易にデータ処理を行うことができる。
【００８０】
また、利用者は、電子ペンで複数枚の同一種類からなる帳票を連続して作成した後に、電子ペンから一度の送信指示を与えるだけでよいため、帳票作成作業の負担軽減を図ることができる。
【図面の簡単な説明】
【図１】電子ペンの使用形態を模式的に示す図である。
【図２】電子ペンの構造を示す機能ブロック図である
【図３】専用ペーパーにプリントされたドットパターンによる情報の表現方法を説明する図である。
【図４】ドットパターン及びそれに対応する情報の例を示す。
【図５】専用ペーパーにより構成される帳票の構造を示す。
【図６】帳票の例を示す。
【図７】電子ペン及び専用ペーパーを利用した申込処理システムの概略構成を示す図である。
【図８】本発明の申込処理システムにおいて使用する申込書の機能を示す図である。
【図９】電子ペンのメモリ内に記憶されたデータ構造、及びそのデータ構造から単位データに分割したこと示す図である。
【図１０】本発明の単位データ分割プログラムの概略を示すフローチャートである。
【符号の説明】
２　ネットワーク
３　受付サーバ
４　旅行申込書
５　単位データ分割プログラム
６　オペレータ端末装置
８　データベース
１０　電子ペン
１１　プロセッサ
１２　メモリ
１３　トランシーバ
１４　バッテリー
１５　ＬＥＤ
１６　カメラ
１７　ペン先部
２０　専用ペーパー
２５　端末装置
【図１】
2004110563.tif 000003
【図２】
2004110563.tif 000004
【図３】
2004110563.tif 000005
【図４】
2004110563.tif 000006
【図５】
2004110563.tif 000007
【図６】
2004110563.tif 000008
【図７】
2004110563.tif 000009
【図８】
2004110563.tif 000010
【図９】
2004110563.tif 000011
【図１０】
2004110563.tif 000012